(57)【要約】【課題】食器洗い機等のキッチン用機器をキャビネットに組み込むと生じるキッチン用機器を支持する仕切板の撓みを防止するとともに、意匠性に優れており、収納性を低下させることのないキャビネット及び該キャビネットを備えたキッチンを実現する。【解決手段】キャビネット１は、食器洗い機収納部３と、食器洗い機収納部３の下方に配置され食器洗い機収納部３よりも幅広に形成された下段引出し４と、 食器洗い機収納部３と下段引出し４との間に設けられ食器洗い機収納部３を支持している仕切板１８と、 を備え、仕切板１８の下面には、金属製の補強桟３６が取り付けられており、補強桟３６の前面側には、木製の化粧桟４１が取り付けられている。【選択図】図３
2014161408.tif 000002
【特許請求の範囲】
【請求項１】
キッチン用機器収納部と、キッチン用機器収納部の下方に配置されキッチン用機器収納部よりも幅広に形成された下段引出しと、キッチン用機器収納部と下段引出しとの間に設けられキッチン用機器収納部を支持している仕切板と、を備えたキャビネットであって、仕切板の下面には、金属製の補強桟が取り付けられていることを特徴とするキャビネット。
【請求項２】
補強桟の前面側には、木製の化粧桟が取り付けられていることを特徴とする請求項１に記載のキャビネット。
【請求項３】
化粧桟は、前面が仕切板の前面縁よりも所定の寸法だけ奥側になるように仕切板に対して取り付けられていることを特徴とする請求項１または２に記載のキャビネット。
【請求項４】
補強桟の幅方向の寸法が、下段引出しの幅方向の寸法よりも小さい寸法とされていることを特徴とする請求項１から３のいずれかに記載のキャビネット。
【請求項５】
キッチン用機器収納部の側方には側方引出しが形成されており、キッチン用機器収納部と側方引出しとを合わせた幅方向の寸法が下段引出しの幅方向の寸法と同じにされていることを特徴とする請求項１から４のいずれかに記載のキャビネット。
【請求項６】
請求項１から５のいずれかに記載のキャビネット及びキッチン用機器を備えたことを特徴とするキッチン。
【発明の詳細な説明】
【技術分野】
【０００１】
本発明は、食器洗い機等のキッチン用機器を組み込んだキャビネット及び該キャビネットを備えたキッチンに関するものである。
【背景技術】
【０００２】
従来、食器洗い機をキッチンのキャビネットに組み込んだものが知られている（特許文献１、２参照）。キッチンにおいて、重量のある食器洗い機をキャビネットに組み込むと、食器洗い機を載せた箇所が撓んだりするので、このような問題を防止するために、食器洗い機を載せる箇所に強度が必要となる。
【０００３】
キッチンキャビネットの補強構造の例として、仕切板を設け、仕切板の後端縁を後板片を介して地板上に当接支持し、また、仕切板の上縁後端部を架設バーを介して測板に連結固定し、強固に立設固定する流し台が知られている（特許文献３参照）。
【先行技術文献】
【特許文献】
【０００４】
【特許文献１】特開２００２−１４２８８６号公報
【特許文献２】特開２００９−１６５６１０号公報
【特許文献３】特開平１０−２０１５５４号公報
【発明の概要】
【発明が解決しようとする課題】
【０００５】
上記のとおり、キッチンにおいて、重量のある食器洗い機をキャビネットに組み込むと、その載置部に撓み等が生じる。特に、食器洗い機の下方に配置された下段引出しの収納量を増やすために、キャビネットの構成を変更せずに食器洗い機よりも幅広の引出しを配すると、食器洗い機を載置している水平な仕切板が食器洗い機の重量により下方への撓みが目立ち、見栄えが悪くなるだけでなく、下段引出しの開け閉めに支障が生じる恐れがある。
【０００６】
また、食器洗い機の横方向に隣接して引出しを設ける場合も、キャビネットの全体の横幅が大きくなり、食器洗い機を載置している水平な仕切板の横幅が大きくなるので、上記同様に食器洗い機の重量により撓みが生じやすい。
【０００７】
図５は比較例の食器洗い機を組み込むキャビネット５１の内部を正面から見た図であるが、図５（ａ）は食器洗い機２を組み込む前の状態を示す。比較例のキャビネット５１は、後記する本発明のように食器洗い機を載置する仕切板１８の下面に補強桟３６が設けられていない構成である。
【０００８】
この比較例のキャビネット５１に食器洗い機２を組み込むと、図５（ｂ）に示すように、水平な仕切板１８が下方に撓み、仕切壁１９は下方に降下する。
【０００９】
すると、食器洗い機収納部３と側方引出し５の収納部が、それぞれの上端側で、図５（ｂ）の矢印Ｆ方向に、互いに押圧するようになるとともに、それぞれの下端側が矢印Ｆ’方向に、互いに離れるようになる力が作用し、単に下段引出しの開け閉めに支障が生じるだけでなく、側方引出しも開け閉めに支障が生じ、加えて下段引出しの前扉と仕切板との間の隙間の寸法（チリ寸法）が不均一になる等の不具合が生じる。
【００１０】
このような撓みを抑制するという強度上の理由で、食器洗い機の下方に配置された下段引出しは、食器洗い機と同じ幅に設定されるのが通例であり、また食器洗い機の載置部の横方向に隣接して側方引出しを設ける場合は、横幅の狭い引出しを設けている。このように、食器洗い機を組み込むと、キャビネットにおける引出し等の寸法、配置、レイアウトまで制限されることとなる。
【００１１】
このような食器洗い機等の重量のあるキッチン用機器をキャビネットに組み込むことによる不具合をなくすためには、キャビネットの骨格構造等、全体的な構成を変更する必要がある。また、キャビネット内に補強部材を取り付けて強度を上げることも考えられるが、複雑な補強構造とするとキャビネットの意匠性を損ねたり、キャビネット内の収納性を低下させる等のおそれも生じる。
【００１２】
本発明は、上記食器洗い機等の重量のあるキッチン用機器をキャビネットに組み込むと生じる問題を解決することを目的とするもので、キャビネットの全体的な構成を変更することなく、撓み等の不具合が生じない、また、撓みが生じないことにより、キッチン用機器の下方に収納性に優れる幅広の引出しを設置することが可能となるキャビネット及び該キャビネットを備えたキッチンを実現することを課題とする。
【課題を解決するための手段】
【００１３】
本発明は上記課題を解決するために、キッチン用機器収納部と、キッチン用機器収納部の下方に配置されキッチン用機器収納部よりも幅広に形成された下段引出しと、キッチン用機器収納部と下段引出しとの間に設けられキッチン用機器収納部を支持している仕切板と、を備えたキャビネットであって、仕切板の下面には、金属製の補強桟が取り付けられていることを特徴とするキャビネットを提供する。ここで、キッチン用機器には、食器洗い機や食器乾燥機、ガスオーブンのような調理器具等、重量のある機器が含まれる。    
【００１４】
補強桟の前面側には、木製の化粧桟が取り付けられていることが好ましい。
【００１５】
化粧桟は、前面が仕切板の前面縁よりも所定の寸法だけ奥側になるように仕切板に対して取り付けられていることが好ましい。
【００１６】
補強桟の幅方向の寸法が、下段引出しの幅方向の寸法よりも小さい寸法とされていることが好ましい。
【００１７】
キッチン用機器収納部の側方には側方引出しが形成されており、キッチン用機器収納部と側方引出しとを合わせた幅方向の寸法が下段引出しの幅方向の寸法と同じにされていることが好ましい。
【００１８】
本発明は上記課題を解決するために、上記構成のキャビネット及びキッチン用機器を備えたキッチンを提供する。
【発明の効果】
【００１９】
本発明に係るキャビネットによると、食器洗い機等の重量のあるキッチン用機器を載せて支持する仕切板の下面に、補強桟が取り付けられ、仕切板の強度が補強されているので、重量のあるキッチン用機器を仕切板の上に載置しても、仕切板が下方に撓むようなことを抑制することができる。
【００２０】
仕切板が下方に撓むことが抑制されるので、キッチン用機器の下方に、キッチン用機器収納部より横幅が大きな寸法を有する下段引出しを設けたり、キッチン用機器収納部の側方に隣接して側方引出しを設けたりして、仕切板の横幅方向の寸法が大きくなっても、下段引出しや側方引出しの滑らかな開閉動作を維持可能であり、意匠性も損なうようなことが防止できる。
【図面の簡単な説明】
【００２１】
【図１】本発明に係るキャビネットが組み込まれた本発明に係るキッチンについて、キッチン用機器が収納された状態における全体構成を示す斜視図である。
【図２】本発明に係るキャビネットの実施例を説明する図であり、キャビネットの正面図である。
【図３】上記実施例のキャビネットを説明する図であり、（ａ）はキャビネットの内部を正面から見た図で、図４のＡ−Ａ断面図でもあり、（ｂ）は補強桟の斜視図である。
【図４】上記実施例のキャビネットを説明する図であり、各部の符号は図２の符号を準用し、（ａ）は図２のＡ−Ａ断面図であり、（ｂ）は（ａ）の金属製の補強桟及び化粧桟の取り付け部の要部拡大図であり、（ｃ）は金属製の補強桟及び化粧桟の取り付け部の別の態様を説明する図である。
【図５】食器洗い機を組み込むキャビネットであるが補強桟を備えていない比較例の構成及びその課題を説明する図であり、（ａ）は食器洗い機を組み込む前の内部の状態を示す図であり、（ｂ）は食器洗い機を組み込んだ内部の状態を示す図である。
【発明を実施するための形態】
【００２２】
本発明に係るキャビネット及び該キャビネットを備えたキッチンを実施するための形態を実施例に基づき図面を参照して、以下説明する。本明細書では、前側はキャビネットを正面側から見て手前側であり、後側はキャビネットを正面側から見て奥側である。
【実施例】
【００２３】
本発明に係るキャビネット及び該キャビネットを備えたキッチンの実施例を、図１〜図４において説明する。この実施例では、本発明におけるキッチン用機器及びキッチン用機器収納部として、食器洗い機及び食器洗い機収納部を例として説明する。図１は、本発明に係るキャビネット１が組み込まれた本発明に係るキッチン６について、キッチン用機器が収納された状態における全体構成を示す。
【００２４】
図１、図２、図３（ａ）に示すように、キャビネット１は、食器洗い機２を収納する食器洗い機収納部３と、食器洗い機収納部３の下方に配置され食器洗い機収納部３よりも幅広に形成された下段引出し４と、食器洗い機収納部３に隣接して側方に設けられた側方引出し５と、を備えている。
【００２５】
側方引出し５は、本実施例では、上段引出し９及び中段引出し１０を有する。食器洗い機収納部３と側方引出し５を合わせた横幅方向の寸法が、本実施例では、下段引出し４の横幅方向の寸法と同じように形成されている。
【００２６】
キャビネット１は、図３（ａ）、図４（ａ）に示すように、左右の側壁１４と、底壁１５と、頂部前方横桟１６と、頂部後方横桟１７と、食器洗い機収納部３と下段引出し４との間を仕切るように水平に設けられた仕切板１８と、食器洗い機収納部３と側方引出し５との間を仕切るように垂直に設けられた仕切壁１９と、を備えている。
【００２７】
仕切板１８はその左右端が、それぞれ左右の側壁１４に固定されている。仕切壁１９はその下端が仕切板１８ に固定されており、その上端が頂部前方横桟１６に当接されている。食器洗い機収納部３は、仕切板１８、仕切壁１９及び左側の側壁１４によって囲まれた空間であり、食器洗い機２は、仕切板１８上に載置され、支持されている。
【００２８】
頂部前方横桟１６と頂部後方横桟１７は、それぞれその両端が左右の側壁１４に固定されており、キャビネット１の構造強度を向上させる。通常は、食器洗い機２を備えたキャビネット１の上に、キッチン６のワークトップ７（図１参照）が設置される。
【００２９】
下段引出し４は、図３（ａ）、図４（ａ）に示すように、底板２３と、左右の側板２４と、前面扉板２５と、背面板２６と、を備えており、キャビネット１において、底壁１５、左右の側壁１４、仕切板１８及び背板２９で囲まれる下段引出し用の空間内に収納される。そして、下段引出し４は、右側の側壁１４と仕切壁１９に設けられたガイドレール３０に沿って前後方向に、スライド可能である。
【００３０】
側方引出し５の上段引出し９及び中段引出し１０は、それぞれ下段引出し４と同様の構成であり、底板と、左右の側板と、前面扉板と、背面板と、を備えている。そして、側方引出し５（上段引出し９及び中段引出し１０）は、右側の側壁１４、仕切壁１９及び背板３３で囲まれる側方引出し用の空間内で、ガイドレール３１に沿って前後方向に、スライド可能である。              
【００３１】
以上の構成から成るキャビネット１において、本発明の特徴は、仕切板１８の下面には、図３（ａ）、図４（ａ）、（ｂ）に示すように、金属製の補強桟３６が取り付けられている構成である。金属製の補強桟３６は、その一例を図３（ｂ）に示すが、頂部３７及び前後の垂直部３８から一体であって、断面凹型で長細く形成されている。
【００３２】
補強桟３６は、図４（ｂ）に示すように、仕切板１８の前端側における仕切板１８の前面縁２０より奥側の位置（仕切板１８の前面縁２０より後側に少し引っ込んだ位置）の下面に、頂部３７を当接して固定されている。その場合、補強桟３６の長手方向を、仕切板１８の横幅方向（キャビネット１を正面から見て左右方向）に合わせてビス等で固定する。
【００３３】
補強桟３６の横幅方向（長手方向）の寸法は、基本的には、下段引出し４の横幅方向の寸法、より詳しくは仕切板１８の横幅方向の寸法と同じとする。しかしながら、必ずしも上記のように同じ寸法でなくても、仕切板１８の横幅方向の寸法より小さい寸法であってもよい。
【００３４】
例えば、標準仕様のキャビネット１の下段引出し４の横幅方向の寸法が７５０ｍｍの場合に、この横幅より広い設置環境に合わせて設置するためには、標準仕様の寸法より、若干、長い横幅の下段引出し４及び仕切板１８を使用する。
【００３５】
このような場合に、補強桟３６は、標準仕様に対応したものを使用すると、下段引出し４の横幅及び仕切板１８の横幅より若干短くなる。例えば、横幅が８９０ｍｍの設置環境である場合は、標準仕様（横幅方向の寸法が７５０ｍｍ）の補強桟３６を仕切板１８に対して左右端側に、例えば、７０ｍｍ程度離して固定すればよい。
【００３６】
このように、補強桟３６が下段引出し４の底板２３の横幅方向の寸法より若干小さい寸法であっても、食器洗い機２の重量による、仕切板１８の撓みを抑制することができる。従って、キャビネットの寸法ごとに専用の補強桟３６を用意する必要がない。補強桟３６の横幅寸法は、少なくとも仕切壁１９を挟んで食器洗い機収納部３の半分程度と側方引出し５の半分程度をカバーすることが可能な寸法であればよい。
【００３７】
補強桟３６の前面側には、図４（ｂ）に示すように、木製の化粧桟４１が取り付けられている。具体的には、木製の化粧桟４１は、その前面が、仕切板１８の前端側における仕切板１８の前面縁２０よりも所定の寸法だけ奥側の位置（仕切板１８の前面縁２０より少し後側に引っ込んだ位置）における仕切板１８の下面及び左右の側壁１４に当接して、ビス等で固定されている。     
【００３８】
木製の化粧桟４１は、補強桟３６の前面に当接し設けてもよいが、図４（ｃ）に示すように、木製の化粧桟４１に対して補強桟３６を後方に離して設けてもよい。但し、化粧桟４１と補強桟３６を離して設ける場合は、前方から見て化粧桟４１で補強桟３６を隠して見えない範囲内で離して設ける必要があり、あまり離しすぎると、補強桟３６が見えてしまい意匠性を損なうので好ましくない。
【００３９】
なお、図４（ａ）に示すように、別の木製の化粧桟４２を、さらに仕切板１８の後端側における下面にも固定すれば、仕切板１８をさらに補強することができる。            
【００４０】
（作用）
以上の構成から成る本発明に係るキャビネット１の作用を説明する。キャビネット１は、食器洗い機２を載せて支持する仕切板１８の下面に、横幅方向に向けて長細い金属製の補強桟３６が取り付けられ、仕切板１８の強度が補強されている。従って、食器洗い機２を仕切板１８の上に載置しても、仕切板１８が下方に撓むような不具合（図５（ｂ）参照）を抑制することができる。
【００４１】
従って、本実施例のキャビネットのように、食器洗い機収納部３の下方に、食器洗い機収納部３の横幅寸法より大きい横幅寸法を有する下段引出しを備えた構成であったり、また、食器洗い機収納部３の側方に隣接して側方引出し５を設けた構成であったりすることで、仕切板１８の横幅方向の寸法が大きくなっても、金属製の補強桟３６が取り付けられ、仕切板１８の強度が補強されているので、食器洗い機収納部３を仕切板１８の上に載置しても、仕切板１８が下方に撓むような不具合を抑制することができる。
【００４２】
仕切板１８が下方に撓むような不具合が抑制されるので、仕切板１８が食器洗い機収納部３の下方に配置された下段引出し４に当接するようなことが防止され、下段引出し４の滑らかな開閉動作を維持可能である。
【００４３】
また、仕切板１８が下方に撓むことに起因する下段引出し４と仕切板１８の前扉の隙間の寸法（チリ寸法）が不均一となることが抑制され、この点でも意匠性を損なうことを防止する。
【００４４】
そして、補強桟３６の前面側の仕切板１８の下面に、木製の化粧桟４１が取り付けられているので、下段引出し４を開いた際に、正面側から見て補強桟３６を隠すことができ、意匠性を向上するとともに、木製の化粧桟４１自体も、仕切板１８の強度の向上に寄与することができる。
【００４５】
さらに、木製の化粧桟４１が取り付けられていると、使用者が下段引出し４内に手を入れた際に、直に金属製の補強桟３６に手を触れることが防止できるから、怪我の防止になる。
【００４６】
以上、本発明に係るキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係るキャビネットは上記のような構成であるから、キッチンのキャビネットに最適な構成であるが、上記実施例に示した食器洗い機に限らず、食器乾燥機、ガスオーブンのような調理器具等、重量のあるキッチン用機器を収納したり、組み込んだりするキャビネット等に適用可能である。
【符号の説明】
【００４８】
１  キャビネット
２  食器洗い機
３  食器洗い機収納部
４  下段引出し
５  側方引出し
６  キッチン
７  ワークトップ
９  上段引出し
１０  中段引出し
１４  キャビネットの左右の側壁
１５  キャビネットの底壁
１６  キャビネットの頂部前方横桟
１７  キャビネットの頂部後方横桟
１８  キャビネットの仕切板
１９  キャビネットの仕切壁
２０  仕切板の前面縁
２３  下段引出しの底板
２４  下段引出しの側板
２５  下段引出しの前面扉板
２６  下段引出しの背面板
２９  下段引出し用空間の背板
３０  下段引出し用のガイドレール
３１  側方引出し用のガイドレール
３３  側方引出し用の背板
３６  補強桟
３７  補強桟の頂部
３８  補強桟の垂直部
４１、４２  木製の化粧桟 
５１  比較例のキャビネット
【図１】
2014161408.tif 000003
【図２】
2014161408.tif 000004
【図３】
2014161408.tif 000005
【図４】
2014161408.tif 000006
【図５】
2014161408.tif 000007